(57)【要約】【課題】背面パネルの配色を簡単且つ自由に行え、また、扉や引き出しの開閉時に生じる騒音の抑止性能に優れるといった高機能な背面パネルを提供する。【解決手段】家具本体１の背面側に形成した開口部Ｓ１を隠蔽する位置に配置されるパネルであって、前記開口部Ｓ１を隠蔽する面板状の本体面板部２１１を備えたパネル本体部材２１と、前記本体面板部２１１の略全面を被覆する位置に配置される面板状の被覆面板部２２１を備えたパネル被覆部材２２とを具備するようにした。【選択図】図６
2004267551.tif 000002
【特許請求の範囲】
【請求項１】
家具本体の背面側に形成した開口部を隠蔽する位置に配置されるパネルであって、前記開口部を隠蔽する面板状の本体面板部を備えたパネル本体部材と、前記本体面板部の略全面を被覆する位置に配置される面板状の被覆面板部を備えたパネル被覆部材とを具備することを特徴とする家具用背面パネル。
【請求項２】
該家具用背面パネルと家具本体とを取り付けた際に、前記被覆面板部が前記本体面板部よりも背面側に配置されるように構成していることを特徴とする請求項１記載の家具用背面パネル。
【請求項３】
前記パネル本体部材と前記パネル被覆部材とが、共に板金素材を塑性変形加工して形成したものであることを特徴とする請求項１記載の家具用背面パネル。
【請求項４】
前記本体面板部の周縁部又は前記被覆面板部の周縁部と前記開口部の周縁部とを対向させて配置し、前記家具本体、前記パネル本体部材又はパネル被覆部材のいずれかに膨出する膨出要素を備えた膨出部材を設け、該周縁部間に形成される隙間目地に、前記膨出要素が位置付けられるように構成していることを特徴とする請求項１乃至３いずれか記載の家具用本体パネル。
【請求項５】
前記膨出部材を前記パネル本体部材に設け、前記パネル被覆部材を前記パネル本体部材に装着した状態で、前記膨出部材を避ける切欠部を前記パネル被覆部材に形成していることを特徴とする請求項４記載の家具用背面パネル。
【請求項６】
前記家具用背面パネルを前記家具本体の背面側に位置させ、該家具用背面パネルを該背面側から正面側へ向かう方向に移動させることで前記家具本体に取り付けることを特徴とする請求項５記載の家具用背面パネル。
【請求項７】
前記膨出部材が、合成樹脂にて形成したものであることを特徴とする請求項４又は６いずれか記載の家具用背面パネル。
【請求項８】
前記家具本体が、物品を収納可能な収納空間を備えることを特徴とする請求項１乃至７いずれか記載の家具用背面パネル。
【発明の詳細な説明】
【０００１】
【発明の属する技術分野】
本発明は、家具本体の背面側に形成した開口部を隠蔽する位置に配置される背面パネルに関するものである。
【０００２】
【従来の技術】
従来、スチール素材を折り曲げて形成した天板、底板、左右一対の側板及び背面パネルの各部を組み立てることにより、前面側に開口する収納部を形成し、その収納部の開口に扉や引き戸を取り付けた家具が一般に知られている。
【０００３】
そして、このように構成される家具は、背面パネルを例えば部屋の壁面に沿わせて配置され、物品の出し入れを行うときには扉や引き戸を開放し、物品の出し入れを行わないときには収納している物品を外部から隠蔽すべくこの扉や引き戸を閉じて使用される（例えば、特許文献１参照。）。
【０００４】
【特許文献１】
特願２０００−３７２１７５号公報（第３頁、第２図）
【０００５】
【発明が解決しようとする課題】
しかしながら、以上のような構成では、この種の背面パネルは一枚のスチール素材で形成されているため、扉や引き出しを閉めた際に、その衝撃で背面パネルが震動して大きな金属音が発生してしまうといった不具合を有している。
【０００６】
また、ノックダウン方式のように家具本体と背面パネルとが着脱可能なものであったとしても、背面パネルは一枚のスチール素材を折り曲げて形成したものであるため、表裏で色を変えるにはマスキング等が必要であり表裏の色を変えるには煩わしいといった問題点を有している。さらに、家具本体の側板と背面パネルとを一枚のスチール素材を折り曲げて一体に形成し、これに天板と底板とを取り付けて使用する家具の場合でも、同様の問題点を残している。
【０００７】
そこで本発明は、上述のような家具に限らず、背面パネルを供える家具一般について、上述した課題を解決することを主たる目的とするものである。
【０００８】
【課題を解決するための手段】
すなわち、本発明に係る家具用背面パネルは、家具本体の背面側に形成した開口部を隠蔽する位置に配置されるパネルであって、前記開口部を隠蔽する面板状の本体面板部を備えたパネル本体部材と、前記本体面板部の略全面を被覆する位置に配置される面板状の被覆面板部を備えたパネル被覆部材とを具備することを特徴とする。
【０００９】
このようなものであれば、前記本体面板部と前記被覆面板部とが前記開口部の略全面を被覆する位置に配置されるため、例えば、前記開口部に開閉可能に取り付けた扉や引き戸の開閉時に金属音が発生したとしても、その金属音の元となる振動は、二重構造を成すように取り付けた本体面板部と被覆面板部とによって好適に減衰させられる。すなわち、本願の背面パネルは一枚のスチール板で構成した背面パネルと比べ、扉の開閉時に発生する騒音レベルを低くすることができる。
【００１０】
また、家具本体と別体に構成した家具用背面パネルが、さらにパネル本体部材とパネル被服部材とを備えたものであるため、収納部に露出する側と外部に露出する側とを簡単に別色で構成することができる。
【００１１】
このように、扉や引き出しの開閉時に生じる騒音の抑止性能に優れ、また、背面パネルの配色を簡単且つ自由に行えるといった高機能な背面パネルを提供することができる。
【００１２】
なお、本発明の望ましい態様としては、該家具用背面パネルと家具本体とを取り付けた際に、前記被覆面板部が前記本体面板部よりも背面側に配置されるように構成しているものが挙げられる。
【００１３】
また、製作容易で外観の統一をも図るためには、前記パネル本体部材と前記パネル被覆部材とが、共に板金素材を塑性変形加工して形成したものであることが好ましい。
【００１４】
ところで、目地幅を均一化し、家具としての高級感を充実させるためには、前記本体面板部の周縁部又は前記被覆面板部の周縁部と前記開口部の周縁部とを対向させて配置し、前記家具本体、前記パネル本体部材又はパネル被覆部材のいずれかに膨出する膨出要素を備えた膨出部材を設け、該周縁部間に形成される隙間目地に、前記膨出要素が位置付けられるように構成していることが望まれる。特に、前記膨出部材を前記パネル本体部材に設け、前記パネル被覆部材を前記パネル本体部材に装着した状態で、前記膨出部材を避ける切欠部を前記パネル被覆部材に形成すれば、目地をより薄くできるのでその効果は顕著なものとなる。
【００１５】
また、家具本体を分解することなく、背面パネルの着脱を容易にするには、前記家具用背面パネルを前記家具本体の背面側に位置させ、該家具用背面パネルを該背面側から正面側へ向かう方向に移動させることで前記家具本体に取り付けるようにすればよい。
【００１６】
なお、家具本体への着脱をスムーズに行えるようにするためには、前記膨出部材が、合成樹脂にて形成したものであることが望ましい。
【００１７】
また、前記家具本体が物品を収納可能な収納空間を備えるものであり、扉の開閉時に発生した騒音が収納空間内で共鳴しても、その共鳴した反響音を好適に低減させることができる。
【００１８】
【発明の実施の形態】
以下、本発明の一実施形態について図面を参照して説明する。
【００１９】
本実施形態に係る家具Ｆは、例えば、図１に示すように、収納空間Ｓを形成する家具本体１と、この家具本体１の反使用端側に開口する後側開口部Ｓ１を隠蔽する位置に配置される背面パネル２と、この家具本体１の前側開口部Ｓ２を巾方向に移動して開閉可能とする一対の引き戸３とを備えているものである。
【００２０】
なお、本実施形態において、この家具Ｆの使用端側を前（正面）側、反使用端側を後（背面）側と定義して説明を進めるものとする。
【００２１】
また、本実施形態では、背面パネル２を後側開口部Ｓ１と重合するように配置して、しかるのち、この背面パネル２を家具本体１に取り付けるものとして説明を行う。
【００２２】
以下、各部を詳述する。
【００２３】
家具本体１は、例えばスチール素材を折り曲げて成形してなる天板１１、底板１２、左右一対の側板１３を筐体に組み付けることによってその内部に前面及び後面を開口する収納空間Ｓとこの収納空間Ｓの後側に連通させた前記背面パネル２を収容可能な収容空間Ｔとを形成している。
【００２４】
より具体的には、天板１１は平面視略矩形状をなしたものであり、この天板１１の下面側前端部に後述する引き戸３のスライド移動を案内するレール（図示せず）が略全域に亘って設けられている。
【００２５】
側板１３は、側面視略矩形状をなし前記天板１１の両端縁から垂下させたものであり、この側板１３の前端側の所定箇所に引き戸３に設けたラッチ機構の係留爪が係留可能な被係留爪（図示せず）を備えている。
【００２６】
底板１２は、前記天板１１と略同型をなすものであって、前記両側板１３の下端部間の天板１１と対向する位置に配置されている。そして、この底板１２の上面側前端部に後述する引き戸３のスライド移動を案内するレール１２１が略全域に亘って設けられている。
【００２７】
収納空間Ｓは、前記天板１１、底板１２、側板１３の各内向面Ｔ２に囲まれる空間に形成されるものである。
【００２８】
収容空間Ｔは、前記収納空間Ｓの後側開口部Ｓ１を拡開させたものであって、図２に示すように、前記天板１１、底板１２、側板１３の各内向面Ｔ２と、開口部Ｓ１の周縁部たるこの内向面Ｔ２の前側端縁を後側開口部Ｓ１を狭める方向に屈曲させることにより形成した各後向面Ｔ１とで囲まれる空間に形成されるものである。そして、前記後向面Ｔ１には、前記背面パネル２と係合可能な係合部材４を備えている。
【００２９】
さらに詳述すると、この係合部材４は、平面視略矩形状をなすものであって、前記側板１３と略平行に配置される外側要素４１と、この外側要素４１の前側端縁から家具本体１内側へ略直角に延びる中央要素４２と、この中央要素４２の内側端縁から家具本体１後側へ略直角に延びる内側要素４３とを備え、これら各要素を樹脂の一体成形にて形成している。また、前記内側要素４３の奥行き寸法が前記外側要素４１の奥行き寸法より大きくなるように形成している。またこの内側要素４３の後面側端部に家具本体１外側に膨出する係合要素４３１を形成することにより、背面パネル２に設けた後述する被係合部２１４ａと好適な係合状態が得られるように構成している。
【００３０】
背面パネル２は、図３、図４、図５等に示すように、前記後側開口部Ｓ１を隠蔽する面板状の本体面板部２１１を備えたパネル本体部材２１と、前記本体面板部２１１の略全面を被覆する位置に配置される面板状の被覆面板部２２１を備えたパネル被覆部材２２と、前記家具本体１への着脱を好適に行えるようにするとともに家具本体１へ取り付けた際に家具としての見栄えを向上させるための膨出部材２３とを備えるものである。
【００３１】
より具体的には、パネル本体部材２１は、正面視略矩形状の本体面板部２１１と、この本体面板部２１１の各側端縁を前側へ略直角に折り曲げてなる本体側板部２１２と、この本体側板部２１２の前側端縁を内側へ略直角に折り曲げてなる本体補強部２１３と、さらにこの本体補強部２１３を後側へ向けて略直角に折り曲げてなる本体内側補強部２１４とを備え、これら各部をスチール素材を折り曲げ形成することにより一体に成形している。
【００３２】
また、前記本体内側補強部２１４は、家具本体１に背面パネル２を取り付けた際に、家具本体１に設けた係合部材４と係合可能に切り欠かれた被係合部２１４ａを備えている。またさらに、前記本体側板部２１２の隅部には、前記膨出部材２３を取り付け可能な膨出部材取付孔２１２ａが形成されている。
【００３３】
パネル被覆部材２２は、正面視略矩形状の被覆面板部２２１と、この被覆面板部２２１の各側端縁を前側へ略直角に折り曲げてなり且つ前記内向面Ｔ２と対向する周縁部である被覆側板部２２２とを備え、これら各部をスチール素材を折り曲げ形成することにより一体に成形している。そして、その被覆面板部２２１を、前記パネル本体部材２１の本体面板部２１１の略全面を被覆する位置に配置し、また、被覆側板部２２２を、前記パネル被覆部材２２の本体側板部２１２の外向き面を被覆する位置に配置し、これら被覆面板部２２１と被覆側板部２２２とを側方からネジＮを用いて固定することにより、このパネル本体部材２１の本体面板部２１１とパネル被覆部材２２の被覆面板部２２１とが該背面パネル２を家具本体１へ着脱する方向で重合して密着するように構成されている。また、これらを固定した際に、図４に示すように、前記パネル本体部材２１の膨出部材取付孔２１２ａと対応する位置には、すなわち、被覆側板部２２２の所定位置には、前記膨出部材取付孔２１２ａより若干大きく且つ家具本体１側へ開口するように切り欠いた切欠部２２２ａが形成されている。
【００３４】
膨出部材２３は、図６に示すように、前記膨出部材取付孔２１２ａと略同一径の膨出部材本体部２３１と、この膨出部材本体部２３１の直径より大きく且つ前記切欠部２２２ａより小さな径を有する鍔部２３２とを備え、これら各部を合成樹脂により一体に形成している。なお、この鍔部２３２には、前記家具本体１への取り付け方向と直交する方向へ部分円弧状をなすように膨出させた膨出要素２３２ｘを形成し、家具用背面パネル２と家具本体１とを取り付けた際に、前記被覆側板部２２２と家具本体１の内向面Ｔ２との間に形成される隙間目地Ｇに、この膨出要素２３２ｘが位置付けられるように構成している。また、この膨出要素２３２ｘは、前記被覆側板部２２２に設けた切欠部２２２ａにその一部を没入されるように取り付けられるため、この膨出要素２３２ｘを切欠部２２２ａに没入させない場合に比べ、前記隙間目地Ｇを狭く構成できる。さらに、前記膨出部材本体部２３１の直径を先端側で漸次小さくなるように構成することで、前記膨出部材取付孔２１２ａへの挿入を容易にしている。また、家具本体１に押圧されるなど外部からパネル本体部材２１内部へ該膨出部材２３を没入させる向きに力が加わった場合でも、前記鍔部２３２が前記パネル本体部材２１の本体側板部２１２の外向き面に当接支持されることでパネル本体部材２１内部への没入を防いでいる。また、該膨出部材２３が上述と同様の力を受けて没入することをより防止するために、本体内側補強部２１４を、該膨出部材２３の膨出部材本体部２３１の先端部と当接する位置に配置して、この膨出部材２３を支持するように構成している。
【００３５】
引き戸３は、図１等に示すように、天板１１及び底板１２に設けた前記レールを利用してスライド移動するものであり、主として後面側を構成する後板材３１と、主として前面側を構成する前板材３２とを図示しない適宜の取付部材を用いて組み合わせて成形してなる正面視矩形状のものである。後板材３１及び前板材３２は、前側開口部Ｓ２の巾方向の略２分の１を短寸、高さ方向を長寸とするものである。そして、この引き戸３の上下端部の所定箇所に前記レールに案内される車輪を設けている。また、引き戸３の縁部略中央部近傍には、この引き戸３を家具本体１に係留するラッチ機構３３が設けられている。
【００３６】
以上のように構成される背面パネル２は、次のようにして家具本体１に取り付けられる。
【００３７】
まず、家具本体１の後側に位置付けた背面パネル２を、その背面パネル２の被覆側端部２２２の外向き面が、収容空間Ｔを形成する各内向面Ｔ２と対向するように挿入する。すると、前記背面パネル２に設けた膨出部材２３がその内向面Ｔ２に押圧され、さらに、この背面パネル２を家具本体１に押し込むと、背面パネル２の本体補強部２１３の外向き面が収容空間Ｔを形成する各後向面Ｔ１と当接する位置に位置付けられ、該背面パネル２に備える被係合部２１４ａが家具本体１に備えた係合部材４に係合されることとなる。しかして、背面パネル２は、膨出部材２３と係合部材４とにより不要ながたつきのない状態で家具本体１に取り付けられることとなる。また、この膨出部材２３によって、家具本体１への取り付けは簡単なものとなり、且つ、本体への傷付を防止しながら安定して取り付けることもできる。さらに、膨出部材２３の膨出要素２３２ｘが、前記被覆側板部２２２と家具本体１の内向面Ｔ２との間に形成される隙間目地Ｇに位置付けらた際に、その隙間目地Ｇを均一にする役割を果たすため、家具として非常に高級感のあるものとすることができる。
【００３８】
このように、背面パネル２を取り付けた家具本体１において引き戸３を開閉すると、その引き戸３の一部が家具本体１に衝突し振動及び騒音が発生する。そして、衝突時に発生した振動は、家具本体１を媒体として背面パネル２に伝播するが、二重構造にした背面パネル２の本体面板部２１１と被覆面板部２２１とにより好適に減衰させられるため、一枚構造で背面パネル２を構成した場合と比べ、前記振動に起因する騒音レベルは小さくなる。
【００３９】
また、衝突時に発生した騒音は、収納空間Ｓを介して背面パネル２へ伝播するが、背面パネル２で同様に減衰させられ、背面パネル２外側へ透過する透過音は小さなものとなる。また、収納空間Ｓ内部で反射する反射音も同様に小さくなるため、収納空間Ｓ内の反響音も小さくなる。
【００４０】
このように、引き戸３の開閉時に発生した振動及び騒音が背面パネル２に伝播しても、その背面パネル２で好適に減衰させられるため、優れた騒音抑止機能を有する家具用背面パネル２を簡単に実現することができる。
【００４１】
ところで、背面パネル２を交換又は色の変更の必要があった際には、背面パネル２に設けた被係合要素と、家具本体１に設けた係合要素との係合を解除し、背面パネル２を家具本体１から抜き出す方向に力を加えれば、家具本体１を分解することなく、背面パネル２を家具本体１から簡単に離間させることができる。そして、前記パネル本体部材２１の切欠部２２２ａに圧入されている膨出部材２３を引き抜き、さらに、パネル本体部材２１とパネル被覆部材２２とを固着しているネジＮを外せば、それらを離間させることができるため、そのパネル本体部材２１とパネル被覆部材２２とを容易に別色に構成することもできる。
【００４２】
そして、パネル本体部材２１とパネル被覆部材２２とを取り外す際に、被覆側板部２２２に設けた切欠部２２２ａによって膨出部材２３の膨出要素２３２ｘが、前記被覆側板部２２２と当接することがないので、膨出部材２３をパネル本体部材２１から取り外さなくてもパネル被覆部材２２を容易に取り外すことができる。
【００４３】
このように、背面パネル２の交換や色の変更にも好適に対応可能であり、また、引き戸３の開閉時に発生する騒音の抑止性能に優れ、さらに隙間目地Ｇが小さく均一で外観的にも優れるといった非常に高機能な背面パネル２を提供することができる。
【００４４】
なお、本発明は、以上に詳述した実施形態に限られるものではない。
【００４５】
例えば、本実施形態では、パネル本体部材２１及びパネル被覆部材２２を、スチール素材を折り曲げて形成するものとしたが、これに限らず、樹脂成形により形成される成形物とするなど、スチール素材以外の素材で形成しても構わない。
【００４６】
また、本実施形態では、背面パネル２を構成するパネル本体部材２１及びパネル被覆部材２２の板厚を同一のものとしているが、それぞれの厚みを異ならせてもよい。このようにすれば、それぞれ共振周波数を異ならせることができるため、一枚のスチール素材で形成した背面パネル２に比べ、より広い周波数帯域にわたって所望の騒音抑制効果を得ることもできる。
【００４７】
また、膨出部材２３を合成樹脂にて形成したが、これに限らず、アルミ素材とするなど、合成樹脂以外の素材で形成しても構わない。
【００４８】
また、家具本体１の前側開口部Ｓ２に引き戸３を取り付けた構成としているが、その引き戸３を観音開き式の扉や引き出しとするなど、引き戸３を実施態様に応じて適宜構成しても構わない。
【００４９】
なお、本発明の家具用背面パネルを適用可能な家具は、物品を収納可能な収納空間を備えたものに限らず、例えば、天板と脚とで構成される開口部を隠蔽する幕板を備えた家具であっても構わない。
【００５０】
また、本実施形態では、背面パネル２を家具本体１の背面側に位置させ該背面パネル２を該背面側から正面側へと向かう方向に移動させることで、背面パネル２を家具本体１に取り付けるように構成したが、背面パネル２を後側開口部Ｓ１と重合しない位置に配置して、該背面パネル２を該背面側から正面側へと向かう方向と直行する方向に移動させ、該背面パネル２によって後側開口部Ｓ１が漸次隠蔽されていくようにしながら、背面パネル２を家具本体１に取り付けるようにしてもよい。
【００５１】
さらに、パネル本体部材２１に備えた膨出部材２３を、パネル被覆部材２２又は家具本体１に具備させてもよい。
【００５２】
その他本発明は以上に詳述した図示例に限られず、種々の変形が可能である。
【００５３】
【発明の効果】
以上に詳述したように本発明に係る家具用背面パネルは、家具本体の背面側に形成した開口部を隠蔽する面板状の本体面板部を備えたパネル本体部材と、前記本体面板部の略全面を被覆する位置に配置される面板状の被覆面板部を備えたパネル被覆部材とを具備した構成を有しているため、扉や引き出しを閉めた際に、その衝撃で背面パネルが震動して大きな金属音が発生してしまうといった不具合のない騒音の抑止性能に優れ、また、家具本体と背面パネルとを別色にする要望があった際にもその要望に好適に対応可能で背面パネルの配色を簡単且つ自由に行えるといった高機能な背面パネルを実現できる。
【図面の簡単な説明】
【図１】本発明の実施形態における家具の全体斜視図。
【図２】同実施形態における背面パネルを取り付ける家具本体の要部を示す斜視図。
【図３】同実施形態における背面パネルの斜視図。
【図４】同実施形態における背面パネルの要部を示す平面図。
【図５】同実施形態における背面パネルの要部を示す正面図。
【図６】同実施形態における背面パネルと家具本体との取付要部の構造を示す構造断面図。
【符号の説明】
１・・・家具本体
２・・・家具用背面パネル
２１・・・パネル本体部材
２２・・・パネル被覆部材
２３・・・膨出部材
２１１・・・本体面板部
２２１・・・被覆面板部
２２２ａ・・・切欠部
２３２ｘ・・・膨出要素
Ｇ・・・隙間目地
Ｓ１・・・開口部（後側開口部）
【図１】
2004267551.tif 000003
【図２】
2004267551.tif 000004
【図３】
2004267551.tif 000005
【図４】
2004267551.tif 000006
【図５】
2004267551.tif 000007
【図６】
2004267551.tif 000008